(57)【要約】【課題】物理特性が共通でディスクフォーマットの一部が異なる複数種類のフォーマットに対応できる光ディスク記録再生装置を提供する。【解決手段】光ディスク記録再生装置（光ディスクドライブ）１０において、光ディスク記録再生装置用ＬＳＩ（駆動回路）１００では、例えば物理特性が共通で変調則が異なる２種類のディスク１０１のフォーマットに対応して、第１のフォーマット用の変復調回路（１０６，１０８）と、第２のフォーマット用の変復調回路（１０７，１０９）と、変調則決定回路１１０とを有する。そして製造時などにおける変調則決定回路１１０の設定により、２種類のフォーマット及び対応する変復調回路における、一方のみに固定して動作、あるいは、両方をメディアに応じて切り替えて動作可能とするように、装置が構築される。【選択図】図１
2007287244.tif 000002
【特許請求の範囲】
【請求項１】
光ディスクの記録及び再生の処理を行う光ディスク記録再生装置用ＩＣであって、
前記光ディスクとして物理特性が共通で変復調方式が異なる２種類のフォーマットの光ディスクの記録及び再生に対応するためのものであり、
前記２種類のフォーマットにおける、第１のフォーマットの変復調方式に対応した変復調処理を行う第１の変復調回路と、第２のフォーマットの変復調方式に対応した変復調処理を行う第２の変復調回路とを有し、
前記２種類のフォーマットにおける信号処理方式の共通の部分が、共通の信号処理回路として構成され、
前記第１と第２の変復調回路における、一方を固定に用いる第１または第２の装置仕様、もしくは、両方を前記光ディスクのフォーマットに応じて切り替えて用いる第３の装置仕様、を決定及び設定する設定手段を有することを特徴とする光ディスク記録再生装置用ＩＣ。
【請求項２】
請求項１記載の光ディスク記録再生装置用ＩＣにおいて、
前記設定手段として、製造時または初期設定時における前記第１〜第３の装置仕様の選択設定に対応して、実使用時の記録／再生処理において前記第１または第２の変復調回路のいずれを用いるかをスイッチの切り替えによって決定及び設定する決定回路を有することを特徴とする光ディスク記録再生装置用ＩＣ。
【請求項３】
光ディスクの記録及び再生の処理を行う光ディスク記録再生装置用ＩＣであって、
前記光ディスクとして物理特性が共通で変復調方式が異なる２種類のフォーマットの光ディスクの記録及び再生に対応するためのものであり、
前記２種類のフォーマットにおける、第１のフォーマットの変復調方式に対応した変復調処理を行う第１の変復調回路と、第２のフォーマットの変復調方式に対応した変復調処理を行う第２の変復調回路とを有し、
前記２種類のフォーマットにおける信号処理方式の共通の部分が、共通の信号処理回路として構成され、
光ディスク記録再生装置を使用する地域コードに応じて、前記第１と第２の変復調回路における一方を固定に用いる第１または第２の装置仕様、を決定及び設定する設定手段を有することを特徴とする光ディスク記録再生装置用ＩＣ。
【請求項４】
請求項３記載の光ディスク記録再生装置用ＩＣにおいて、
前記設定手段として、製造時または初期設定時における前記地域コード及びそれに対応付けられる前記フォーマットの選択設定に対応して、実使用時の記録／再生処理において前記第１または第２の変復調回路のいずれを用いるかをスイッチの切り替えによって決定及び設定する決定回路を有し、
前記決定回路に対する前記地域コード及びフォーマットに対応した選択設定は、一旦当該光ディスク記録再生装置用ＩＣに設定された後に、光ディスク記録再生装置内のマイクロコンピュータで書き換え不可能とすることを特徴とする光ディスク記録再生装置用ＩＣ。
【請求項５】
光ディスクの記録及び再生の処理を行う光ディスク記録再生装置用ＩＣであって、
前記光ディスクとして物理特性が共通で誤り訂正符号方式が異なる２種類のフォーマットの光ディスクの記録及び再生に対応するためのものであり、
前記２種類のフォーマットにおける、第１のフォーマットの誤り訂正符号方式に対応した誤り訂正符号処理を行う第１の誤り訂正回路と、第２のフォーマットの誤り訂正符号方式に対応した誤り訂正符号処理を行う第２の誤り訂正回路とを有し、
前記２種類のフォーマットにおける信号処理方式の共通の部分が、共通の信号処理回路として構成され、
前記第１と第２の誤り訂正回路における、一方を固定に用いる第１または第２の装置仕様、もしくは、両方を前記光ディスクのフォーマットに応じて切り替えて用いる第３の装置仕様、を決定及び設定する設定手段を有することを特徴とする光ディスク記録再生装置用ＩＣ。
【請求項６】
請求項５記載の光ディスク記録再生装置用ＩＣにおいて、
前記設定手段として、製造時または初期設定時における前記第１〜第３の装置仕様の選択設定に対応して、実使用時の記録／再生処理において前記第１または第２の誤り訂正回路のいずれを用いるかをスイッチの切り替えによって決定及び設定する決定回路を有することを特徴とする光ディスク記録再生装置用ＩＣ。
【請求項７】
光ディスクの記録及び再生の処理を行う光ディスク記録再生装置用ＩＣであって、
前記光ディスクとして物理特性が共通でスクランブル方式が異なる２種類のフォーマットの光ディスクの記録及び再生に対応するためのものであり、
前記２種類のフォーマットにおける、第１のフォーマットのスクランブル方式に対応したスクランブル／デスクランブル処理を行う第１の入出力回路と、第２のフォーマットのスクランブル方式に対応したスクランブル／デスクランブル処理を行う第２の入出力回路とを有し、
前記２種類のフォーマットにおける信号処理方式の共通の部分が、共通の信号処理回路として構成され、
前記第１と第２の入出力回路における、一方を固定に用いる第１または第２の装置仕様、もしくは、両方を前記光ディスクのフォーマットに応じて切り替えて用いる第３の装置仕様、を決定及び設定する設定手段を有することを特徴とする光ディスク記録再生装置用ＩＣ。
【請求項８】
請求項７記載の光ディスク記録再生装置用ＩＣにおいて、
前記設定手段として、製造時または初期設定時における前記第１〜第３の装置仕様の選択設定に対応して、実使用時の記録／再生処理において前記第１または第２の入出力回路のいずれを用いるかをスイッチの切り替えによって決定及び設定する決定回路を有することを特徴とする光ディスク記録再生装置用ＩＣ。
【請求項９】
光ディスクの記録及び再生の処理を行う光ディスク記録再生装置用ＩＣの製造方法であって、
前記光ディスクとして物理特性が共通で変復調方式が異なる２種類のフォーマットの光ディスクの記録及び再生に対応するためのものであり、
光ディスク記録再生装置用ＩＣは、前記２種類のフォーマットにおける、第１のフォーマットの変復調方式に対応した変復調処理を行う第１の変復調回路と、第２のフォーマットの変復調方式に対応した変復調処理を行う第２の変復調回路と、実使用時の記録／再生処理において前記第１または第２の変復調回路のいずれを用いるかをスイッチの切り替えによって決定及び設定する決定回路とを有し、
製造時または初期設定時において、前記決定回路に対し、前記第１と第２の変復調回路における、一方を固定に用いる第１または第２の装置仕様、もしくは、両方を前記光ディスクのフォーマットに応じて切り替えて用いる第３の装置仕様の選択設定を行う工程を有することを特徴とする、光ディスク記録再生装置用ＩＣの製造方法。
【請求項１０】
光ディスクの記録及び再生の処理を行う光ディスク記録再生装置用ＩＣの製造方法であって、
前記光ディスクとして物理特性が共通で変復調方式が異なる２種類のフォーマットの光ディスクの記録及び再生に対応するためのものであり、
前記光ディスク記録再生装置用ＩＣは、前記２種類のフォーマットにおける、第１のフォーマットの変復調方式に対応した変復調処理を行う第１の変復調回路と、第２のフォーマットの変復調方式に対応した変復調処理を行う第２の変復調回路と、実使用時の記録／再生処理において前記第１または第２の変復調回路のいずれを用いるかをスイッチの切り替えによって決定及び設定する決定回路とを有し、
製造時または初期設定時において、前記決定回路に対し、光ディスク記録再生装置を使用する地域コードに応じて、前記第１と第２の変復調回路における、一方を固定に用いる第１または第２の装置仕様の選択設定を行う工程を有することを特徴とする、光ディスク記録再生装置用ＩＣの製造方法。
【請求項１１】
請求項１０記載の光ディスク記録再生装置用ＩＣの製造方法において、
前記選択設定を行う工程では、当該光ディスク記録再生装置用ＩＣの素子の性能ばらつきをトリミングによって調整する工程において、前記地域コード及びそれに対応付けられるフォーマットが確定され、それに対応する設定が前記決定回路に対し行われることを特徴とする、光ディスク記録再生装置用ＩＣの製造方法。
【請求項１２】
請求項１０記載の光ディスク記録再生装置用ＩＣの製造方法において、
前記選択設定を行う工程では、当該光ディスク記録再生装置用ＩＣ内のチップとパッケージ内の電極を接続するＬＳＩ組立工程ないしワイヤボンディング工程において、前記地域コード及びそれに対応付けられるフォーマットが確定され、それに対応する設定が前記決定回路に対し行われることを特徴とする、光ディスク記録再生装置用ＩＣの製造方法。
【発明の詳細な説明】
【技術分野】
【０００１】
本発明は、例えばＤＶＤ等の光ディスクメディア（記録媒体）にデータを記録及び再生する光ディスク記録再生装置、及びそれに搭載用のＬＳＩないしＩＣ（半導体集積回路装置）及びその製造方法に関する。特に、異なるメディアフォーマットに対応するための技術に関する。
【背景技術】
【０００２】
異なる複数の光ディスクフォーマットの信号を記録再生する従来の装置としては、例えば特開２０００−３０３５３号公報（特許文献１）記載のように、レーザー光による光ディスクからの反射光を検出することで、物理的特性の違いによって、メディア（光ディスクフォーマット）の判別を行っている技術が存在する。
【０００３】
また、例えば特開２００２−１６３８５７号公報（特許文献２）記載の技術では、１つのメディア（ディスク）に２種類のフォーマットの領域を持ち、記録再生回路としても各々のフォーマットに対応する回路を有し、再生領域により切り替えるものである。
【特許文献１】特開２０００−３０３５３号公報
【特許文献２】特開２００２−１６３８５７号公報
【発明の開示】
【発明が解決しようとする課題】
【０００４】
前記特許文献１記載の技術では、物理的特性が異なる光ディスクの判別を前提として考えられている。そのため、物理的特性が同じ（共通）で信号処理フォーマットの一部が異なるメディア（フォーマット）が存在する場合には適用が困難となる。
【０００５】
前記物理的特性が共通で信号処理フォーマットの一部が異なる複数（例えば２つ）の種類のメディア（フォーマット）に対応するための光ディスク記録再生装置を考える。そのような複数のメディアに対応する信号処理回路（演算処理回路）を含むＬＳＩ（光ディスク記録再生装置用ＩＣ）を構成する。その場合に、従来技術によれば、各々のフォーマットに適する信号処理回路を独立して備え、各々のフォーマットの差異によりそれら回路を切り替える必要性が生じる。
【０００６】
また、上記のような性質のメディア及びフォーマットが、例えば地域あるいは用途などで限定のフォーマット及びメディアであって、処理用のＬＳＩとして両方のフォーマットに対応する必要が無い場合、即ち一方のフォーマットのみに対応して使用可能に設定・構築される場合が考えられる。その場合において、各々のフォーマットに対応したＬＳＩを別々に設計・製造することは、設計・製造の工程における工数の無駄となってしまう。
【０００７】
また、前記特許文献２記載の技術では、前述のように１つのメディアに混在して記録されている領域により２種類のフォーマットに応じた再生回路を切り替えるものであり、当該技術の第２のフォーマットでは暗号化目的のため記録回路は備えていない。それに対して、別の技術及び課題として、１つのメディアで１種類のフォーマットであって、信号処理方式などで若干フォーマットが異なる複数の種類の別のメディア及びフォーマットに対応する必要がある。
【０００８】
本発明は以上のような問題に鑑みてなされたものであり、その目的は、前記物理特性が共通でフォーマットの一部（信号処理方式）が異なる複数（例えば２つ）の種類のフォーマット及びその個別のメディア（ディスク）に対応でき、また、装置製造時などでも工数を削減でき効率的な、光ディスク記録再生装置及びそのＩＣを提供することにある。
【課題を解決するための手段】
【０００９】
本願において開示される発明のうち、代表的なものの概要を簡単に説明すれば、次のとおりである。前記目的を達成するために、本発明は、光ディスクの記録及び再生の処理を行う光ディスク記録再生装置及びそれに搭載用のＩＣなどの技術であって、以下に示す技術的手段を備えることを特徴とする。
【００１０】
本光ディスク記録再生装置及びそのＩＣでは、異なる複数のメディアフォーマットにおける、フォーマットの異なる部分に対応の信号処理回路（例えば、変復調回路、誤り訂正回路、入出力回路など）を独立して有し、フォーマットの共通の部分に対応の回路は共通の回路として有する構成とする。そして、適用対象のメディアフォーマットに応じていずれかの信号処理回路のみを例えば固定的に使用されるように選択決定するための決定回路を有し、その決定回路に対する選択設定が可能な構成とする。本ＩＣの製造時あるいは本ＩＣを用いた光ディスク記録再生装置の初期設定（システム設定）時などにおいて、前記決定回路に対する選択設定を通じて、前記複数のメディアフォーマットの一つのみに固定、あるいは複数が実使用時にメディアに応じて切り替えられて動作可能となるように、装置仕様（装置設定）が構築される。
【００１１】
本ＩＣは、例えば以下の構成である。本ＩＣは、光ディスクとして物理特性が共通で変復調方式が異なる２種類のフォーマットの光ディスクの記録及び再生に対応するためのものであり、第１のフォーマットに対応した第１の変復調回路と、第２のフォーマットに対応した第２の変復調回路とを有し、２種類のフォーマットにおける信号処理方式が共通の部分が、共通の信号処理回路として構成され、第１と第２の変復調回路における、一方を固定に用いる第１または第２の装置仕様、もしくは、両方を光ディスクのフォーマットに応じて切り替えて用いる第３の装置仕様、を決定及び設定する設定手段を有する。また、本ＩＣは、設定手段として、製造時または初期設定時における第１〜第３の装置仕様の選択設定に対応して、実使用時の記録／再生処理において第１または第２の変復調回路（ないし対応の信号処理方式やフォーマット）のいずれを用いるかをスイッチの切り替えによって決定及び設定する決定回路を有する。
【００１２】
また、本ＩＣの製造方法は、例えば以下である。上記のような構成のＩＣの製造時または初期設定時において、上記ＩＣの決定回路に対し、第１と第２の変復調回路における、一方を固定に用いる第１または第２の装置仕様、もしくは、両方を光ディスクのフォーマットに応じて切り替えて用いる第３の装置仕様の選択設定を行う工程を有する。
【発明の効果】
【００１３】
本願において開示される発明のうち、代表的なものによって得られる効果を簡単に説明すれば以下のとおりである。本発明によれば、前記物理特性が共通でフォーマットの一部（信号処理方式）が異なる複数（例えば２つ）の種類のフォーマット及びその個別のメディア（ディスク）に対応でき、また、装置製造時などでも工数を削減でき効率的な、光ディスク記録再生装置及びそのＩＣを提供できる。
【発明を実施するための最良の形態】
【００１４】
以下、本発明の実施の形態を図面に基づいて詳細に説明する。なお、実施の形態を説明するための全図において、同一部には原則として同一符号を付し、その繰り返しの説明は省略する。
【００１５】
（実施の形態１）
図１〜図２は、本発明の実施の形態１を示す。図１は、実施の形態１である光ディスク記録再生装置（光ディスクドライブ１０）及びシステム全体の構成を示す。システム全体は、光ディスク記録再生装置（光ディスクドライブ）１０に、ホスト（ホストコンピュータ）２０が接続されている構成である。
【００１６】
光ディスクドライブ１０は、光ディスク記録再生装置用ＬＳＩ（駆動回路）１００と、システムを統括するマイコン（マイクロコンピュータ）１１と、ピックアップ１０２やスピンドルモータ１０３等の駆動部とを有する構成である。光ディスクドライブ１０内にディスク（光ディスクメディア）１０１がセットされる。駆動回路１００は、ＬＳＩとして実装されており、駆動部を制御する。マイコン１１は、光ディスクドライブ１０の制御部であり、駆動回路１００を制御する。ホスト２０は、光ディスクドライブ１０の駆動回路１００を通じてディスク１０１に対しデータの記録／再生を行う。
【００１７】
駆動回路１００は、レーザードライバ（Laser Diode Driver：ＬＤＤ）１０４、アナログ・フロント・エンド（Analog Front End：ＡＦＥ）１０５、第１の変調回路１０６、第２の変調回路１０７、第１の復調回路１０８、第２の復調回路１０９、決定回路（変調則決定回路）１１０、スイッチ（データ切り替えスイッチ）１１１、メモリ１１２、メモリ制御回路１１３、誤り訂正回路１１４、入出力回路１１５を有する構成である。特に、装置仕様の設定手段を構成する一部として、決定回路１１０を有する。駆動回路１００として、本例では異なる２種類のフォーマット（第１と第２のフォーマット）に対応しており、当該フォーマットに応じた個別の回路として、変復調回路（１０６〜１０９）を有する。
【００１８】
ディスク１０１は、第１または第２のフォーマットに対応したものである。ディスク１０１のフォーマットは、例えばマイコン１１等により自動的に判別される。
【００１９】
ピックアップ１０２は、ディスク１０１に対するデータ信号の記録／再生を行う。スピンドルモータ１０３は、ディスク１０１を回転させる。ＬＤＤ１０４は、ディスク１０１に対する書き込み信号に応じて、ピックアップ１０２に含まれる半導体レーザーの制御を行う。ＡＦＥ１０５は、ディスク１０１より読み取られた信号におけるアナログ処理を行う。
【００２０】
第１の変調回路１０６、第２の変調回路１０７は、異なる２種類の変調則（変復調方式）に従いデータを変調する。第１の変調回路１０６は、第１のフォーマットの変調方式に対応し、第２の変調回路１０７は、第２のフォーマットの変調方式に対応する。第１の復調回路１０８、第２の復調回路１０９は、異なる２種類の変調則（変復調方式）に従いデータを復調する。第１の復調回路１０８は、第１のフォーマットの復調方式に対応し、第２の復調回路１０９は、第２のフォーマットの復調方式に対応する。
【００２１】
メモリ１１２は、データ（記録データ、再生データ、処理中データなど）を格納する。メモリ制御回路１１３は、メモリ１１２へのアクセスを制御する。誤り訂正回路１１４は、データに対する誤り訂正演算や訂正符号付加を行う。入出力回路１１５は、データに対するスクランブル処理やデスクランブル処理を行い、外部（ホスト２０）へのデータの入出力を制御する。
【００２２】
決定回路１１０は、装置仕様の設定手段の一部として、本駆動回路１００及び光ディスクドライブ１０にて使用される変調則（変復調方式）を選択決定している。即ち、決定回路１１０は、設定に従い、実使用される変復調回路（１０６〜１０９）及びデータ入出力経路を決定する。４つのスイッチ１１１は、決定回路１００の設定・選択に従い切り替えられるものであり、その切り替えの状態により、前記実使用される変復調回路（１０６〜１０９）及びデータ入出力経路が定まる。
【００２３】
上記決定回路１１０は、装置製造販売者等により決定される装置仕様（装置設定）、即ち２種類のうちの一方のフォーマットのみ固定で使用される仕様、もしくは両方のフォーマットをメディアに応じて使用可能な仕様、に応じて変調側を決定する。装置仕様（装置設定）は決定回路１１０により決定され、その決定回路１１０の選択設定は、装置製造販売者等によりなされる。これらの仕様及びその設定の区別がわかりやすいように、第１または第２のフォーマットのみ固定で使用される仕様を第１の仕様または第２の仕様と称し、第１と第２のフォーマットをメディアに応じて使用可能な仕様を第３の仕様と称する。
【００２４】
上記仕様及び決定回路１１０の選択設定では、装置製造販売者等の操作により例えばマイコン１１から決定回路１１０に対して設定値の書き換えによって第１の仕様が選択される。その場合、決定回路１１０の設定値に応じて、４つのスイッチ１１１において、第１の変調回路１０６と第１の復調回路１０８とが常に固定で使用されるように、図１に示す状態のようにデータ入出力経路が構成される。
【００２５】
実施の形態１の説明では、特に、２種類の両方のフォーマットがメディアに応じて使用可能な第３の仕様の設定に対応した場合の装置（１０）を想定している。本構成で第１または第２の仕様の設定の場合でも、そのための設定動作以外の動作は略同様である。なお、例えば一方側の第１のフォーマットに対応の第１の仕様の設定とした場合、他方側の第２のフォーマットに対応した回路部分は、駆動回路１０内に回路としては存在するものの実使用されない状態となる。また、第３の仕様の設定とした場合、セットされるディスク１０１のフォーマットの判別に応じて自動的に使用される変復調回路（１０６〜１０９）が切り替えられることになる。また、本装置（１０）の製造時及び実使用前の初期設定時などにおける装置仕様の設定と、本装置（１０）の実使用時のメディア（１０１）のフォーマットに応じた処理の切り替えの設定とでは異なることに注意する。
【００２６】
図２は、実施の形態１の光ディスクドライブ１０で対応（適用）する光ディスクフォーマットに対応した処理フローを示す。物理的特性が共通で変調則が異なる２種類の光ディスク（１０１）のフォーマットとして、第１の光ディスクフォーマット（Ｆ１）と第２の光ディスクフォーマット（Ｆ２）とを示している。光ディスクドライブ１０のデータ記録時の処理の場合を示しており、データ再生時の処理の場合には逆の流れの処理で異なる復調が行われる。
【００２７】
メインデータ（３０１）に対し、Ｆ１とＦ２で共通のフォーマットでＩＤが付加され（３０２）、スクランブル処理が行われ（３０３）、誤り訂正符号付加処理が行われる（３０４）。誤り訂正符号が付加されたデータに対し、ディスク１０１に記録（書き込み）するチャネルデータ（３０７，３０８）に変換する際に、フォーマット及び設定に応じて、異なる変調則（第１と第２の変調則）を用いて変調処理される（３０５，３０６）。これにより、２種類の光ディスクフォーマット（Ｆ１，Ｆ２）が構成されている。このように、実使用されるフォーマット（Ｆ１，Ｆ２）に対応したチャネルデータ（３０７，３０８）が生成出力される。
【００２８】
ただし、上記２種類のフォーマット（Ｆ１，Ｆ２）におけるチャネルデータへの変換処理において、ビット変換の割合を同一とし、変換テーブル及び変換における制限（前記変調則に対応）を異なるようにすることで、必要条件として、ディスク１０１に記録（書き込み）するデータ量を同一になるものとし、記録対象のディスク１０１の物理特性も同一（共通）なものとする。
【００２９】
次に、前記図１の光ディスクドライブ１０における図２で示される２種類のフォーマット（Ｆ１，Ｆ２）の光ディスク１０１の記録及び再生の動作について説明する。光ディスクドライブ１０におけるメディア（１０１）の切り替えを、変調則決定回路１１０の設定を切り替えることで行う。図２における第１の光ディスクフォーマット（Ｆ１）を持つディスク１０１の記録／再生を行う場合、マイコン１１により決定回路１１０の設定を第１の光ディスクフォーマット（Ｆ１）として選択し、スイッチ１１１を全て第１の光ディスクフォーマット（Ｆ１）対応の信号処理回路側（１０６，１０８）に動作させる。
【００３０】
まず、再生時において、ディスク１０１よりピックアップ１０２を介して読み取られた信号は、ＡＦＥ１０５においてアナログ処理が行われ、第１の復調回路１０８に入力される。第１の復調回路１０８では、第１の光ディスクフォーマット（Ｆ１）の復調則に従い復調処理を施して、メモリ制御回路１１３を介してメモリ１１２に当該データを記録（格納）する。次に、誤り訂正回路１１４によりメモリ１１２上の当該データの上書きによって誤り訂正を行い、更に入出力回路１１５においてデスクランブル処理を施して、ホスト２０に対し再生データとして転送する。
【００３１】
また、記録時において、ホスト２０から入力されたデータ（記録データ）は、入出力回路１１５でスクランブル処理を施して、メモリ制御回路１１３を介してメモリ１１２に記録する。次に、誤り訂正回路１１４により誤り訂正符号を付加してメモリ１１２に記録し、メモリ１１２から読み出されたデータに対して、第１の変調回路１０６において第１の光ディスクフォーマット（Ｆ１）の変調則に従い変調処理を施して出力する。出力されたデータ（書き込み信号）は、ＬＤＤ１０４を介してディスク１０１に記録する。
【００３２】
同様に、第２の光ディスクフォーマット（Ｆ２）を持つディスク１０１の記録／再生を行う場合は、変調則決定回路１１０の設定を第２の光ディスクフォーマット（Ｆ２）として選択し、スイッチ１１１を全て第２の光ディスクフォーマット（Ｆ２）対応の信号処理回路側（１０７，１０９）に動作させることで実現可能である。
【００３３】
このように、前記第３の仕様として、２種類の光ディスクフォーマット（Ｆ１，Ｆ２）に対応した光ディスクドライブ１０を設定まで含めて構築した場合では、実使用時には所定の方法で記録／再生対象のディスク１０１及びフォーマットを判別し、マイコン１１により駆動回路１００内の変調則決定回路１１０の設定（設定値）を書き換えることで変復調処理の切り替えを行う。駆動回路１００においてフォーマット（Ｆ１，Ｆ２）の共通部分を共通回路（変復調回路（１０６〜１０９）以外の部分）としているため、回路規模の低減を図ることができる。
【００３４】
また、前記第１または第２の仕様として、各光ディスクフォーマット（Ｆ１，Ｆ２）のどちらかのディスク１０１のみに対応した光ディスクドライブ１０を構築する場合は、製造時やマイコン１１により電源投入時等の初期設定時などに、変調則決定回路１１０の設定を上記どちらか一方のみに固定として、その後当該設定を書き換え禁止とする構成にすることで、容易に対応が可能である。
【００３５】
以上のように実施の形態１では、第１の光ディスクフォーマット（Ｆ１）用の変復調回路（１０６，１０８）と、第２の光ディスクフォーマット（Ｆ２）用の変復調回路（１０７，１０９）とを有し、変調則決定回路１１０の設定によりどちらか一方に固定して動作、もしくは両方を切り替えて動作させることが可能である。これにより、物理特性が共通で変調則のみが異なる２種類のディスク１０１に対応する光ディスクドライブ１０を得ることができる。
【００３６】
（実施の形態２）
図３〜図４は、本発明の実施の形態２を示す。図３は、実施の形態２である光ディスク記録再生装置（光ディスクドライブ１０）及びシステム全体の構成を示す。光ディスクドライブ１０は、前記決定回路１１０の代わりに地域コード決定回路２０１を有する。その他は図１の実施の形態１の構成と同様である。
【００３７】
地域コード決定回路２０１は、ディスク１０１の記録及び再生を行う（許可する）国や地域を識別する地域コードを、フォーマットと対応付けて決定付ける回路である。地域コード決定回路２０１で、地域コード（ないしそれに類する情報や値）に応じてフォーマットが対応付けられ、そのフォーマットに応じて、実施の形態１と同様に、使用される信号処理回路が選択・決定される。
【００３８】
本実施の形態２の装置及びシステムでは、変調則の異なるフォーマットは、光ディスクドライブ１０を使用する国や地域などにより限定される。例えば、前記図２を用いて説明すると、第２の光ディスクフォーマット（Ｆ２）が、あるＡ国に限定したフォーマットとして適用され、Ａ国以外の国では第１の光ディスクフォーマット（Ｆ１）のみが適用される。それぞれの国や地域において、それぞれの光ディスクフォーマットのどちらかのディスク１０１のみに対応する光ディスクドライブ１０（その仕様）を構築する場合は、マイコン１１によりメディア（１０１）に応じて切り替えることも可能であるが、主に光ディスク記録再生装置用ＬＳＩ１００を製造する過程において、地域コード決定回路２０１の設定を一方側に固定とすることでも対応が容易である。
【００３９】
実施の形態２の説明では、２種類のフォーマット（Ｆ１，Ｆ２）のうち装置を実使用する地域に応じてフォーマットが選択されて第１または第２の仕様が設定される場合の装置を想定している。本構成で第３の仕様の設定の場合でも、そのための設定動作以外の動作は略同様である。
【００４０】
上記仕様の選択設定では、装置製造販売者等の操作により例えばマイコン１１から地域コード決定回路２０１に対してＡ国の地域コードに対応付けて第２のフォーマット（Ｆ２）及び第２の仕様が選択され、同様に、Ａ国以外の地域コードに対応付けて第１のフォーマット（Ｆ１）及び第１の仕様が選択される。対応する決定回路２０１の設定値に応じて、４つのスイッチ１１１の切り替えの状態において、データ入出力経路が構成される。
【００４１】
図４では、（ａ）従来の光ディスク記録再生装置用ＬＳＩの製造フローと、（ｂ）本実施の形態２における光ディスク記録再生装置用ＬＳＩ１００の製造フローとを比較して示している。（ａ）及び（ｂ）において、当該ＬＳＩ（ＩＣ）を製造するには、セルの配置やレイアウトを含めた回路の設計段階（４０１，４０５）、配線や組み立て等を含む工程を行ってＬＳＩを製造する製造段階（４０２，４０６）を経て、そのＬＳＩのアナログ部品の精度調整を行うトリミングなどによる調整段階（４０３，４０７）を経て、量産してＬＳＩとして出荷する出荷段階（４０４，４０９）へ至る、といったフローとなる。
【００４２】
ここで、本実施の形態２では、調整段階（４０７）の後段階ないし調整段階（４０７）に含まれる工程として、地域コード及び対応フォーマットの選択を行う変調則決定の段階（４０８）、換言すれば装置仕様の設定工程を設けている。例えば、当該ＬＳＩ（１００）素子の性能ばらつきをトリミングによって調整する工程において、前記地域コード及びそれに対応するフォーマットが確定され、それに対応して決定回路２０１に対して装置仕様が選択設定される。
【００４３】
これにより、異なる光ディスクフォーマット（Ｆ１，Ｆ２）に対応する各ＬＳＩ（１００）を別々に製造が可能であり、マイコン１１により基本的に設定を切り替え（書き換え）不可能とすることで、例えば誤設定による誤動作を防ぐことが可能である。さらに、２種類のＬＳＩ（１００）を、同じ設計段階（４０５）及び製造段階（４０６）等を用いて構築するので、設計や製造の工程における工数を低減することができる。
【００４４】
このように製造されたＬＳＩ（１００）を用いた光ディスクドライブ１０の動作について説明する。光ディスクフォーマット（Ｆ１，Ｆ２）との対応を決定付けられた各ＬＳＩ（１００）を用いて、それぞれの国や地域において、光ディスクドライブ１０が構築される。前述のＡ国以外の地域においては第１の光ディスクフォーマット（Ｆ１）のみの対応となるため、使用するＬＳＩ（１００）では、地域コードにＡ国以外として地域コード決定回路２０１で選択され、第１の変調回路１０６及び第１の復調回路１０８が動作するように固定される。同様に、Ａ国における光ディスクドライブ１０用のＬＳＩ（１００）では、地域コードにＡ国として地域コード決定回路２０１で選択され、第２の変調回路１０７及び第２の復調回路１０９が動作するように固定される。各光ディスクドライブ１０の記録／再生時の動作は、実施の形態１で説明したのと同様であり、一方側の変復調回路のみが使用される。
【００４５】
このように、ＬＳＩ（１００）の製造フロー時（特に調整段階４０７付近）に地域コード及び対応フォーマットを決定及び設定することで、それぞれの国や地域のフォーマットに特化したＬＳＩ（１００）を生産し、それぞれのＬＳＩ（１００）を用いてそれぞれの国や地域における光ディスクドライブ１０を構築することができる。それぞれのＬＳＩ（１００）の製造は、製造段階（４０６）では２種類の変復調回路を備え、製造フロー中の一工程（４０８）においてどちらか一方を選択決定することで行われる。これらにより、共通の設計及び製造の工程を用いて効率よくＬＳＩ（１００）を生産することができる。
【００４６】
本実施の形態２では、ＬＳＩ（１００）の製造フローの調整段階（４０７）の後段階ないし一部工程（４０８）として地域コード及び対応フォーマットを決定及び設定することとしたが、他の段階での実現も可能である。例えば、製造段階（４０６）の後段階、あるいは製造段階（４０６）における配線工程や、ＬＳＩ（１００）のチップとパッケージ内の電極を接続するワイヤボンディング作業などの組み立て工程などにおいて、地域コード及び対応フォーマットを決定及び設定しても、同様に実現可能である。
【００４７】
（実施の形態３）
図５〜図６は、本発明の実施の形態３を示す。図３は、実施の形態３である光ディスク記録再生装置（光ディスクドライブ１０）及びシステム全体の構成を示す。実施の形態３では、フォーマットに応じて誤り訂正回路が個別の構成である。また、それに対応する決定回路を有する。その他、技術的思想や構成は実施の形態１等と同様である。
【００４８】
光ディスクドライブ１０の駆動回路１００は、ＬＤＤ１０４、ＡＦＥ１０５、変調回路５０１、復調回路５０２、第１誤り訂正回路５０３、第２誤り訂正回路５０４、決定回路（誤り訂正則決定回路）５０５、スイッチ１１１、メモリ１１２、メモリ制御回路１１３、入出力回路１１５を有する構成である。駆動回路１００として、本例では異なる２種類のフォーマット（第１と第２のフォーマット）に対応しており、当該フォーマットに応じた個別の回路として、誤り訂正回路（５０３，５０４）を有する。
【００４９】
変調回路５０１は、変調則に従いデータの変調を行う。復調回路５０２は、復調則に従いデータの復調を行う。また、第１誤り訂正回路５０３は、第１の誤り訂正演算則に従い誤り訂正及び訂正符号付加を行う。第２誤り訂正回路５０４は、第２の誤り訂正演算則に従い誤り訂正及び訂正符号付加を行う。誤り訂正則決定回路５０５は、マイコン１１からの設定などに基づき、誤り訂正演算則を選択設定する。
【００５０】
図６は、実施の形態３の光ディスクドライブ１０で対応（適用）する光ディスクフォーマット（Ｆ１，Ｆ２）に対応した処理フローを、実施の形態１と同様に示す。Ｆ１とＦ２で、図２は変調則が異なる場合であるが、図６では誤り訂正則が異なる場合である。メインデータ（６０１）に対し、Ｆ１とＦ２で共通のフォーマットでＩＤが付加され（６０２）、スクランブル処理が施される（６０３）。次に、フォーマット及び設定に応じて、異なる誤り訂正演算則（第１と第２の訂正則）に従って誤り訂正符号付加処理が行われ（６０４，６０５）、それぞれの異なる誤り訂正符号が付加されたデータに対して、共通の変調則により変調処理が行われる（６０６）。これにより、ディスク１０１に対するチャネルデータ（６０７，６０８）が生成される。
【００５１】
次に、図５の光ディスクドライブ１０における図６で示される２種類の光ディスクフォーマット（Ｆ１，Ｆ２）を持つディスク１０１の記録再生動作について説明する。光ディスクドライブ１０におけるメディア（１０１）の切り替えを、誤り訂正則決定回路５０５の設定を切り替えることで行う。図６における第１の光ディスクフォーマット（Ｆ１）を持つディスク１０１の記録／再生を行う場合は、マイコン１１により決定回路５０５の設定を、第１の光ディスクフォーマット（Ｆ１）として選択し、スイッチ１１１を第１誤り訂正回路５０３側に動作させる。
【００５２】
これにより、データ再生処理時において、ディスク１０１よりピックアップ１０２を介して読み取られた信号は、ＡＦＥ１０５においてアナログ処理されて、復調回路５０２により復調処理されて、メモリ制御回路１１３を介してメモリ１１２に記録される。その後、第１誤り訂正回路５０３によりメモリ１１２のデータを読み出して、第１の誤り訂正演算則に従って誤り訂正演算を行い、メモリ１１２上のデータを上書きすることで訂正を行う。次に、入出力回路１１５においてデスクランブル処理を施して、ホスト２０に再生データとして転送する。
【００５３】
また、データ記録処理時において、ホスト２０から入力されたデータ（記録データ）は、入出力回路１１５でスクランブル処理を施して、メモリ制御回路１１３を介してメモリ１１２に記録する。次に、第１誤り訂正回路により第１の誤り訂正演算則に従って誤り訂正符号付加してメモリ１１２に記録し、メモリ１１２から読み出されたデータに対して変調処理を施して出力し、ＬＤＤ１０４を介してディスク１０１に記録を行う。
【００５４】
同様に、第２の光ディスクフォーマット（Ｆ２）を持つディスク１０１の記録／再生を行う場合は、決定回路５０５の設定を第２の光ディスクフォーマット（Ｆ２）として選択し、スイッチ１１１を第２誤り訂正回路５０４側に動作させることで実現可能である。
【００５５】
以上のように、実施の形態３では、第１の光ディスクフォーマット（Ｆ１）用の第１誤り訂正回路５０３と、第２の光ディスクフォーマット（Ｆ２）用の第２誤り訂正回路５０４とを有し、誤り訂正則決定回路５０５によりどちらか一方に固定で動作、あるいは両方を切り替えて動作することが可能である。これにより、物理特性が共通で誤り訂正演算則のみ異なる２種類のディスク１０１に対応する光ディスクドライブ１０を得ることができる。
【００５６】
（実施の形態４）
図７〜図８は、本発明の実施の形態４を示す。図７は、実施の形態４である光ディスク記録再生装置（光ディスクドライブ１０）及びシステム全体の構成を示す。実施の形態４では、フォーマットに応じて入出力回路が個別の構成である。また、それに対応する決定回路を有する。その他、技術的思想や構成は実施の形態１や３と同様である。
【００５７】
光ディスクドライブ１０の駆動回路１００は、ＬＤＤ１０４、ＡＦＥ１０５、変調回路５０１、復調回路５０２、誤り訂正回路１１４、第１入出力回路７０１、第２入出力回路７０２、決定回路（スクランブル則決定回路）７０３、スイッチ１１１、メモリ１１２、メモリ制御回路１１３を有する構成である。駆動回路１００として、本例では異なる２種類のフォーマット（第１と第２のフォーマット）に対応しており、当該フォーマットに応じた個別の回路として、入出力回路（７０１，７０２）を有する。
【００５８】
第１入出力回路７０１は、第１のスクランブル則に従い入出力データに対しスクランブル処理／デスクランブル処理を行う。第２入出力回路７０２は、第２のスクランブル則に従い入出力データに対しスクランブル処理／デスクランブル処理を行う。スクランブル則決定回路７０３は、マイコン１１からの設定などに基づき、スクランブル則を選択設定する。
【００５９】
図８は、実施の形態４の光ディスクドライブ１０で対応（適用）する光ディスクフォーマット（Ｆ１，Ｆ２）に対応した処理フローを、実施の形態１や３と同様に示す。Ｆ１とＦ２で、図８ではスクランブル則が異なる場合である。メインデータ（８０１）に対し、Ｆ１とＦ２で共通のフォーマットでＩＤが付加される（８０２）。次に、フォーマット及び設定に応じて、異なるスクランブル則（第１と第２のスクランブル則）に従ってスクランブル処理が施される（８０３，８０４）。次に、各スクランブル処理後のデータに対し、共通の誤り訂正符号付加処理（８０５）及び共通の変調処理（８０６）が行われる。これにより、ディスク１０１に対するチャネルデータ（８０７，８０８）が生成される。
【００６０】
以上のように、実施の形態４では、第１の光ディスクフォーマット（Ｆ１）用の第１入出力回路７０１と、第２の光ディスクフォーマット（Ｆ２）用の第２入出力回路７０２とを有し、スクランブル則決定回路７０３によりどちらか一方に固定、あるいは両方を切り替えて動作することが可能である。これにより、物理特性が共通でスクランブル則のみが異なる２種類のディスク１０１に対応する光ディスクドライブ１０を得ることができる。
【００６１】
以上説明したように、本発明の各実施の形態の光ディスクドライブ１０及びそのＬＳＩ（１００）では、物理特性が共通で光ディスクフォーマットの一部（信号処理方式）が異なる複数（本例では２つ）の種類のフォーマットに対応して、異なる複数（２つ）の系統の信号処理回路を備え、それに対応する決定回路及びマイコン１１等による決定回路の設定が可能な構成である。これにより、製品の製造時にはフォーマットが共通の部分を共通の回路としフォーマットが異なる部分を個別の回路で構成しつつ、決定回路の選択設定によって、一方のフォーマットに固定して使用される仕様、あるいは両方のフォーマットに対応して実使用時に切り替えて動作可能な仕様、を選択して構築することが可能である。従って、製造のコストや時間、回路規模などの削減や、複数のメディアフォーマットへの対応における容易さや効率性などの利点がある。
【００６２】
以上、本発明者によってなされた発明を実施の形態に基づき具体的に説明したが、本発明は前記実施の形態に限定されるものではなく、その要旨を逸脱しない範囲で種々変更可能であることは言うまでもない。
【図面の簡単な説明】
【００６３】
【図１】本発明の実施の形態１である光ディスク記録再生装置及びシステム全体の構成を示すブロック図である。
【図２】本発明の実施の形態１の光ディスク記録再生装置における、変調則が異なる２種類の光ディスクフォーマットに対応した処理フローを示す図である。
【図３】本発明の実施の形態２である光ディスク記録再生装置及びシステム全体の構成を示すブロック図である。
【図４】（ａ）は、従来におけるＬＳＩ製造フローを、（ｂ）は、実施の形態２等におけるＬＳＩ製造フローを示す図である。
【図５】本発明の実施の形態３である光ディスク記録再生装置及びシステム全体の構成を示すブロック図である。
【図６】本発明の実施の形態１の光ディスク記録再生装置における、誤り訂正則が異なる２種類の光ディスクフォーマットに対応した処理フローを示す図である。
【図７】本発明の実施の形態４である光ディスク記録再生装置及びシステム全体の構成を示すブロック図である。
【図８】本発明の実施の形態１の光ディスク記録再生装置における、スクランブル則が異なる２種類の光ディスクフォーマットに対応した処理フローを示す図である。
【符号の説明】
【００６４】
１０…光ディスク記録再生装置（光ディスクドライブ）、１１…マイコン、２０…ホスト（ホストコンピュータ）、１００…光ディスク記録再生装置用ＬＳＩ（駆動回路）、１０１…ディスク（光ディスクメディア）、１０２…ピックアップ、１０３…スピンドルモータ、１０４…ＬＤＤ（レーザードライバ）、１０５…ＡＦＥ（アナログ・フロント・エンド）、１０６…第１の変調回路、１０７…第２の変調回路、１０８…第１の復調回路、１０９…第２の復調回路、１１０…変調則決定回路、１１１…スイッチ（データ切り替えスイッチ）、１１２…メモリ、１１３…メモリ制御回路、１１４…誤り訂正回路、１１５…入出力回路、２０１…地域コード決定回路、５０１…変調回路、５０２…復調回路、５０３…第１誤り訂正回路、５０４…第２誤り訂正回路、５０５…誤り訂正則決定回路、７０１…第１入出力回路、７０２…第２入出力回路、７０３…スクランブル則決定回路。
【図１】
2007287244.tif 000003
【図２】
2007287244.tif 000004
【図３】
2007287244.tif 000005
【図４】
2007287244.tif 000006
【図５】
2007287244.tif 000007
【図６】
2007287244.tif 000008
【図７】
2007287244.tif 000009
【図８】
2007287244.tif 000010